(57)【要約】【課題】ＧＰＳ等の特別な測位手段を持たない携帯電話端末装置や携帯情報端末装置の所在位置情報を精度良く測位する。【解決手段】地図案内情報提供サーバ２の住所情報／位置情報検索手段２０は、携帯電話端末装置１から入力された住居表示情報を検索キーとして住所情報−位置情報対応テーブル２０１から検索した住所の候補を携帯電話端末装置１の全体制御部１０に渡す。全体制御部１０は、使用者の選択等により確定した住所を住所情報／位置情報検索手段２０に渡す。住所情報／位置情報検索手段２０は、確定した住所に対応する位置情報を対応テーブル２０１から検索し、全体制御部１０に返す。全体制御部１０は、検索された当該住所の位置情報を受け取り、当該端末装置の所在位置として、利用したり必要な所へ通知したりする。【選択図】　図１
2004078450.tif 000002
【特許請求の範囲】
【請求項１】
携帯電話端末装置または携帯情報端末装置の所在位置を測位する方法であって、
当該端末装置の所在地周辺にある住居表示に基づく住居表示情報を使用者に当該端末装置から入力させる住居表示情報入力手順と、
サーバ装置もしくは当該端末装置が前記住居表示情報を検索キーとして住所を検索する住所検索手順と、
前記住所検索手順によって得られた住所が唯一の場合は当該住所を当該端末装置の所在地の住所として確定し、前記住所検索手順によって得られた住所が複数の場合は前記複数の住所を当該端末装置に表示してその中の１つを使用者に当該端末装置から選択させることで当該端末装置の所在地の住所を確定する住所確定手順と、
サーバ装置もしくは当該端末装置が前記住所確定手順によって得られた住所の位置情報を検索する位置情報検索手順と、
前記位置情報を当該端末装置の所在位置として当該端末装置から通知する位置情報通知手順と、を有する
ことを特徴とする位置情報測位方法。
【請求項２】
前記住居表示情報が、文字入力手段から入力される住居表示文字列、音声入力手段から入力される住居表示音声情報、および画像入力手段から入力される住居表示画像情報のいずれかである
ことを特徴とする請求項１に記載の位置情報測位方法。
【請求項３】
前記住居表示情報が、画像入力手段から入力される住居表示画像情報であり、
前記住居表示情報入力手順は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手順を有する
ことを特徴とする請求項１に記載の位置情報測位方法。
【請求項４】
所在位置を測位可能な携帯電話端末装置または携帯情報端末装置であって、
当該端末装置の所在地周辺にある住居表示に基づく住居表示情報を使用者に当該端末装置から入力させる住居表示情報入力手段と、
前記住居表示情報を検索キーとして住所を検索するもしくはサーバ装置に検索させる住所検索手段と、
前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、
前記住所確定手段によって得られた住所の位置情報を検索するもしくはサーバ装置に検索させる位置情報検索手段と、
前記位置情報を当該端末装置の所在位置として当該端末装置から通知する位置情報通知手段と、を有する
ことを特徴とする位置情報測位端末装置。
【請求項５】
前記住居表示情報が、文字入力手段から入力される住居表示文字列、音声入力手段から入力される住居表示音声情報、および画像入力手段から入力される住居表示画像情報のいずれかである
ことを特徴とする請求項４に記載の位置情報測位端末装置。
【請求項６】
前記住居表示情報が、画像入力手段から入力される住居表示画像情報であり、
前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有する
ことを特徴とする請求項４に記載の位置情報測位端末装置。
【請求項７】
携帯電話端末装置または携帯情報端末装置の所在位置を測位するサーバ装置であって、
当該端末装置の所在地周辺にある住居表示に基づく住居表示情報を使用者に当該端末装置から入力させる住居表示情報入力手段と、
前記住居表示情報を検索キーとして住所を検索するもしくは当該端末装置に検索させる住所検索手段と、
前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、
前記住所確定手段によって得られた住所の位置情報を検索するもしくは当該端末装置に検索させる位置情報検索手段と、
前記位置情報を当該端末装置の所在位置として当該端末装置から通知する位置情報通知手段と、を有する
ことを特徴とする位置情報測位サーバ装置。
【請求項８】
前記住居表示情報が、文字入力手段から入力される住居表示文字列、音声入力手段から入力される住居表示音声情報、および画像入力手段から入力される住居表示画像情報のいずれかである
ことを特徴とする請求項７に記載の位置情報測位サーバ装置。
【請求項９】
前記住居表示情報が、画像入力手段から入力される住居表示画像情報であり、
前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有する
ことを特徴とする請求項７に記載の位置情報測位サーバ装置。
【請求項１０】
携帯電話端末装置または携帯情報端末装置の所在位置を測位するプログラムであって、
当該端末装置の所在地周辺にある住居表示に基づく住居表示情報を使用者に当該端末装置から入力させる住居表示情報入力処理と、
前記住居表示情報を検索キーとして住所を検索するもしくはサーバ装置に検索させる住所検索処理と、
前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、
前記住所確定処理によって得られた住所の位置情報を検索するもしくはサーバ装置に検索させる位置情報検索処理と、
前記位置情報を当該端末装置の所在位置として当該端末装置から通知する位置情報通知処理と、を携帯電話端末装置または携帯情報端末装置に実行させる
ことを特徴とする位置情報測位プログラム。
【請求項１１】
前記住居表示情報が、文字入力手段から入力される住居表示文字列、音声入力手段から入力される住居表示音声情報、および画像入力手段から入力される住居表示画像情報のいずれかである
ことを特徴とする請求項１０に記載の位置情報測位プログラム。
【請求項１２】
前記住居表示情報が、画像入力手段から入力される住居表示画像情報であり、
前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有する
ことを特徴とする請求項１０に記載の位置情報測位プログラム。
【請求項１３】
携帯電話端末装置または携帯情報端末装置の所在位置を測位するプログラムであって、
当該端末装置の所在地周辺にある住居表示に基づく住居表示情報を使用者に当該端末装置から入力させる住居表示情報入力処理と、
前記住居表示情報を検索キーとして住所を検索するもしくは当該端末装置に検索させる住所検索処理と、
前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、
前記住所確定処理によって得られた住所の位置情報を検索するもしくは当該端末装置に検索させる位置情報検索処理と、
前記位置情報を当該端末装置の所在位置として当該端末装置から通知する位置情報通知処理と、をサーバ装置に実行させる
ことを特徴とする位置情報測位プログラム。
【請求項１４】
前記住居表示情報が、文字入力手段から入力される住居表示文字列、音声入力手段から入力される住居表示音声情報、および画像入力手段から入力される住居表示画像情報のいずれかである
ことを特徴とする請求項１３に記載の位置情報測位プログラム。
【請求項１５】
前記住居表示情報が、画像入力手段から入力される住居表示画像情報であり、
前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有する
ことを特徴とする請求項１３に記載の位置情報測位プログラム。
【発明の詳細な説明】
【０００１】
【発明の属する技術分野】
本発明は、モバイル環境における携帯電話端末装置や携帯情報端末装置の位置情報測位方法において、端末装置位置の周辺にある景観中の住居表示情報から端末装置位置を測位する方法および装置に関するものである。
【０００２】
【従来の技術】
モバイル環境における利用者の行動支援ツールとして、携帯電話端末装置や携帯情報端末装置であって、端末装置の位置情報を測位することで、端末装置利用者に周辺の案内地図を表示したり、付近にある銀行、コンビニエンスストア、レストラン等の案内情報を通知したりする機能を備えた機器がある。
【０００３】
従来、これらの機器でその位置情報を測位する方法としては、ＧＰＳ（ＧｌｏｂａｌＰｏｓｉｔｉｏｎｉｎｇ　Ｓｙｓｔｅｍ）衛星対応のアンテナを備え、３つまたは４つ以上のＧＰＳ衛星との距離を測位し、三角測量などの手法により端末装置の位置を求めるものや、携帯電話端末装置がそのとき収容されているアンテナ基地局の位置や、基地局で受信する当該携帯電話の通信電波の電界強度などから、三角測量などの手法により当該端末装置の位置を求めたりするものがあった。
【０００４】
【発明が解決しようとする課題】
しかし、全ての携帯電話端末装置や携帯情報端末装置がこれらの位置測位手段を備えているわけではなく、特別な位置測位手段の無い携帯電話端末装置や携帯情報端末装置では、その位置情報に基づいて周辺の案内地図を参照することや、付近にある店舗等の案内情報を参照するサービスの利用はできなかった。
【０００５】
本発明の目的は、上記のような問題を解決するため、特別な位置測位手段を備えていない携帯電話端末装置や携帯情報端末装置においても、端末装置が在る場所の周辺にある景観中の住居表示情報から当該端末装置の在る場所の住所を確定し、その住所の位置情報をもって当該端末装置の位置情報とすることで、端末装置の位置情報を測位する手段を提供することにある。
【０００６】
【課題を解決するための手段】
上記の目的を達成するため、本発明は、携帯電話端末装置または携帯情報端末装置の所在位置を測位する方法であって、当該端末装置の所在地周辺にある住居表示に基づく住居表示情報を使用者に当該端末装置から入力させる住居表示情報入力手順と、サーバ装置もしくは当該端末装置が前記住居表示情報を検索キーとして住所を検索する住所検索手順と、前記住所検索手順によって得られた住所が唯一の場合は当該住所を当該端末装置の所在地の住所として確定し、前記住所検索手順によって得られた住所が複数の場合は前記複数の住所を当該端末装置に表示してその中の１つを使用者に当該端末装置から選択させることで当該端末装置の所在地の住所を確定する住所確定手順と、サーバ装置もしくは当該端末装置が前記住所確定手順によって得られた住所の位置情報を検索する位置情報検索手順と、前記位置情報を当該端末装置の所在位置として当該端末装置から通知する位置情報通知手順と、を有することを特徴とする位置情報測位方法を目的達成の手段とする。
【０００７】
あるいは、上記の位置情報測位方法において、前記住居表示情報が、文字入力手段から入力される住居表示文字列、音声入力手段から入力される住居表示音声情報、および画像入力手段から入力される住居表示画像情報のいずれかであることを特徴とする位置情報測位方法を目的達成の手段とする。
【０００８】
あるいは、上記の位置情報測位方法において、前記住居表示情報が、画像入力手段から入力される住居表示画像情報であり、前記住居表示情報入力手順は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手順を有することを特徴とする位置情報測位方法を目的達成の手段とする。
【０００９】
あるいは、所在位置を測位可能な携帯電話端末装置または携帯情報端末装置であって、当該端末装置の所在地周辺にある住居表示に基づく住居表示情報を使用者に当該端末装置から入力させる住居表示情報入力手段と、前記住居表示情報を検索キーとして住所を検索するもしくはサーバ装置に検索させる住所検索手段と、前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、前記住所確定手段によって得られた住所の位置情報を検索するもしくはサーバ装置に検索させる位置情報検索手段と、前記位置情報を当該端末装置の所在位置として当該端末装置から通知する位置情報通知手段と、を有することを特徴とする位置情報測位端末装置を目的達成の手段とする。
【００１０】
あるいは、上記の位置情報測位端末装置において、前記住居表示情報が、文字入力手段から入力される住居表示文字列、音声入力手段から入力される住居表示音声情報、および画像入力手段から入力される住居表示画像情報のいずれかであることを特徴とする位置情報測位端末装置を目的達成の手段とする。
【００１１】
あるいは、上記の位置情報測位端末装置において、前記住居表示情報が、画像入力手段から入力される住居表示画像情報であり、前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有することを特徴とする位置情報測位端末装置を目的達成の手段とする。
【００１２】
あるいは、携帯電話端末装置または携帯情報端末装置の所在位置を測位するサーバ装置であって、当該端末装置の所在地周辺にある住居表示に基づく住居表示情報を使用者に当該端末装置から入力させる住居表示情報入力手段と、前記住居表示情報を検索キーとして住所を検索するもしくは当該端末装置に検索させる住所検索手段と、前記住所検索手段によって得られた住所が唯一の場合は当該住所を当該端末装置の所在地の住所として確定し、前記住所検索手段によって得られた住所が複数の場合は前記複数の住所を当該端末装置に表示してその中の１つを使用者に当該端末装置から選択させることで当該端末装置の所在地の住所を確定する住所確定手段と、前記住所確定手段によって得られた住所の位置情報を検索するもしくは当該端末装置に検索させる位置情報検索手段と、前記位置情報を当該端末装置の所在位置として当該端末装置から通知する位置情報通知手段と、を有することを特徴とする位置情報測位サーバ装置を目的達成の手段とする。
【００１３】
あるいは、上記の位置情報測位サーバ装置において、前記住居表示情報が、文字入力手段から入力される住居表示文字列、音声入力手段から入力される住居表示音声情報、および画像入力手段から入力される住居表示画像情報のいずれかであることを特徴とする位置情報測位サーバ装置を目的達成の手段とする。
【００１４】
あるいは、上記の位置情報測位サーバ装置において、前記住居表示情報が、画像入力手段から入力される住居表示画像情報であり、前記住居表示情報入力手段は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す手段を有することを特徴とする位置情報測位サーバ装置を目的達成の手段とする。
【００１５】
あるいは、携帯電話端末装置または携帯情報端末装置の所在位置を測位するプログラムであって、当該端末装置の所在地周辺にある住居表示に基づく住居表示情報を使用者に当該端末装置から入力させる住居表示情報入力処理と、前記住居表示情報を検索キーとして住所を検索するもしくはサーバ装置に検索させる住所検索処理と、前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、前記住所確定処理によって得られた住所の位置情報を検索するもしくはサーバ装置に検索させる位置情報検索処理と、前記位置情報を当該端末装置の所在位置として当該端末装置から通知する位置情報通知処理と、を携帯電話端末装置または携帯情報端末装置に実行させることを特徴とする位置情報測位プログラムを目的達成の手段とする。
【００１６】
あるいは、上記の位置情報測位プログラムにおいて、前記住居表示情報が、文字入力手段から入力される住居表示文字列、音声入力手段から入力される住居表示音声情報、および画像入力手段から入力される住居表示画像情報のいずれかであることを特徴とする位置情報測位プログラムを目的達成の手段とする。
【００１７】
あるいは、上記の位置情報測位プログラムにおいて、前記住居表示情報が、画像入力手段から入力される住居表示画像情報であり、前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有することを特徴とする位置情報測位プログラムを目的達成の手段とする。
【００１８】
あるいは、携帯電話端末装置または携帯情報端末装置の所在位置を測位するプログラムであって、当該端末装置の所在地周辺にある住居表示に基づく住居表示情報を使用者に当該端末装置から入力させる住居表示情報入力処理と、前記住居表示情報を検索キーとして住所を検索するもしくは当該端末装置に検索させる住所検索処理と、前記住所検索処理によって得られた住所が唯一の場合は当該住所を当該端末装置の所在地の住所として確定し、前記住所検索処理によって得られた住所が複数の場合は前記複数の住所を当該端末装置に表示してその中の１つを使用者に当該端末装置から選択させることで当該端末装置の所在地の住所を確定する住所確定処理と、前記住所確定処理によって得られた住所の位置情報を検索するもしくは当該端末装置に検索させる位置情報検索処理と、前記位置情報を当該端末装置の所在位置として当該端末装置から通知する位置情報通知処理と、をサーバ装置に実行させることを特徴とする位置情報測位プログラムを目的達成の手段とする。
【００１９】
あるいは、上記の位置情報測位プログラムにおいて、前記住居表示情報が、文字入力手段から入力される住居表示文字列、音声入力手段から入力される住居表示音声情報、および画像入力手段から入力される住居表示画像情報のいずれかであることを特徴とする位置情報測位プログラムを目的達成の手段とする。
【００２０】
あるいは、上記の位置情報測位プログラムにおいて、前記住居表示情報が、画像入力手段から入力される住居表示画像情報であり、前記住居表示情報入力処理は、住居表示のプレートの輪郭を表わすガイド線を当該端末装置に表示される入力しようとする画像に重ね合わせて表示し、住居表示のプレートの輪郭を前記ガイド線に合致させて住居表示画像情報を入力するように使用者に促す処理を有することを特徴とする位置情報測位プログラムを目的達成の手段とする。
【００２１】
本発明では、入力された住居表示情報を検索キーとして住所を検索し、検索された住所が複数あれば、利用者に選択させるなどして確定し、さらに確定した住所の位置情報を検索し、この位置情報を当該端末装置の所在位置として利用あるいは必要な所へ通知することにより、特別な位置測位手段を持たない携帯電話端末装置や携帯情報端末装置の位置を測位可能とする。
【００２２】
【発明の実施の形態】
本発明の実施形態について以下、図面を参照して説明する。
【００２３】
［実施形態例１］
先ず、本発明の第１の実施形態例について説明する。図１は本実施形態例による装置構成ならびに方法での処理手順を説明する図であって、ここでは、携帯電話端末装置を例として説明する。
【００２４】
図１の１は携帯電話端末装置、２は携帯電話端末装置１とネットワーク３で接続されて位置情報測位機能の実現を支援する位置情報測位支援サーバであり、ＣＰＵ、メモリなどから成る計算機（コンピュータ）等である。携帯電話端末装置１は全体制御部１０、通信手段１１、メニュー表示選択手段１２、文字入力手段１３からなり、図１の１２および１３は、実際の携帯電話端末装置にあっては図２に示す文字画像情報表示ディスプレイ１６とスクロール決定ボタン１７、および文字数値入力ボタン１３が相当する。また、図１の位置情報測位支援サーバ２は、住所情報／位置情報検索手段２０を備え、住所情報／位置情報検索手段２０はその機能を実現する手段として、図３に示す住所情報とその位置情報との対応テーブル２０１を保持している。
【００２５】
ここで、位置情報の測位に当たっては、先ず文字入力手段１３から端末装置の使用者が入力した住居表示文字列を全体制御部１０が受け取り、これを通信手段１１を経由して位置情報測位支援サーバ２の住所情報／位置情報検索手段２０に渡す。
【００２６】
住所情報／位置情報検索手段２０は、受け取った住居表示文字列をキーに、当該文字列を含む一つまたは複数の住所情報を検索し、携帯電話端末装置１の全体制御部１０に返す。全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００２７】
その後、全体制御部１０は、通信手段１１を介して確定した住所情報を位置情報測位支援サーバ２の住所情報／位置情報検索手段２２に渡す。住所情報／位置情報検索手段２２は与えられた住所情報からその位置情報を検索し、それを携帯電話端末装置１の全体制御部１０に返し、全体制御部１０はその位置情報を当該端末装置の位置情報として、利用したり必要な所へ通知したりする。
【００２８】
以上が、本実施形態例の説明である。ここでは、住所情報／位置情報検索手段２０をネットワークを介した位置情報測位支援サーバの機能として説明したが、この機能は携帯電話端末装置または携帯情報端末装置の機能としてよい。また、全体制御部１０は端末装置側の機能として説明したが、これを位置情報測位支援サーバ側の機能としてもよい。
【００２９】
［実施形態例２］
次に、本発明の第２の実施形態例について説明する。図４は本実施形態例による装置構成ならびに方法での処理手順を説明する図であって、ここでは携帯電話端末装置を例として説明する。
【００３０】
図４の１は携帯電話端末装置、２は携帯電話端末装置１とネットワーク３で接続されて位置情報測位機能の実現を支援する位置情報測位支援サーバであり、ＣＰＵ、メモリなどから成る計算機（コンピュータ）等である。携帯電話端末装置１は全体制御部１０、通信手段１１、メニュー表示選択手段１２、音声入力手段１４からなり、図４の１２および１４は、実際の携帯電話端末装置にあっては図２に示す文字画像情報表示ディスプレイ１６とスクロール決定ボタン１７、およびマイク１４が相当する。また、図１の位置情報測位支援サーバ２は、住所情報／位置情報検索手段２０、音声認識抽出手段２１を備え、住所情報／位置情報検索手段２０はその機能を実現する手段として、図３に示す住所情報とその位置情報との対応テーブル２０１を保持し、音声認識抽出手段２１はその機能を実現する手段として、音声認識辞書２１１を保持している。
【００３１】
ここで、位置情報の測位に当たっては、先ず、音声入力手段１４から端末装置の使用者が入力した住居表示音声情報を全体制御部１０が受け取り、これを通信手段１１を経由して位置情報測位支援サーバ２の音声認識抽出手段２１に渡す。音声認識抽出手段２１は、受け取った住居表示音声情報から、音声認識辞書２１１を用いて文字列情報を抽出し、これを携帯電話端末装置１の全体制御部１０渡す。
【００３２】
次に、全体制御部１０は、これを住居表示文字列として通信手段１１を経由して位置情報測位支援サーバ２の住所情報／位置情報検索手段２０に渡す。住所情報／位置情報検索手段２０は受け取った住居表示文字列をキーに、当該文字列を含む一つまたは複数の住所情報を対応テーブル２０１から検索し、携帯電話端末装置１の全体制御部１０に返す。全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００３３】
その後、全体制御部１０は、通信手段１１を介して確定した住所情報を位置情報測位支援サーバ２の住所情報／位置情報検索手段２０に渡す。住所情報／位置情報検索手段２０は与えられた住所情報からその位置情報を対応テーブル２０１より検索し、それを携帯電話端末装置１の全体制御部１０に返し、全体制御部１０はその位置情報を当該端末装置の位置情報として、利用したり必要な所へ通知したりする。
【００３４】
以上が、本実施形態例の説明であるが、ここでは、音声認識抽出手段２１と住所情報／位置情報検索手段２０をネットワークを介した位置情報測位支援サーバの機能として説明したが、この機能は携帯電話端末装置または携帯情報端末装置の機能としてよい。また、全体制御部１０は端末装置側の機能として説明したが、これを位置情報測位支援サーバ側の機能としてもよい。
【００３５】
さらに、メニュー表示選択手段１２は、文字画像情報表示ディスプレイ１６とスクロール決定ボタン１７とから構成されるとしたが、複数の住所情報に番号を付与して表示し、その選択は当該住所の番号を音声で図２のマイク１４から入力し、音声認識抽出手段２１を利用することで、当該番号の住所情報を選択するようにしてもよい。
【００３６】
［実施形態例３］
次に、本発明の第３の実施形態例について説明する。図５は本実施形態例による装置構成ならびに方法での処理手順を説明する図であって、ここでは携帯電話端末装置を例として説明する。
【００３７】
図５の１は携帯電話端末装置、２は携帯電話端末装置１とネットワーク３で接続されて位置情報測位機能の実現を支援する位置情報測位支援サーバであり、ＣＰＵ、メモリなどから成る計算機（コンピュータ）等である。携帯電話端末装置１は全体制御部１０、通信手段１１、メニュー表示選択手段１２、画像入力手段１５からなり、図５の１２および１５は、実際の携帯電話端末装置にあっては図２に示す文字画像情報表示ディスプレイ１６とスクロール決定ボタン１７、およびカメラ１５が相当する。また、図５の位置情報測位支援サーバ２は、住所情報／位置情報検索手段２０、文字認識抽出手段２２を備え、住所情報／位置情報検索手段２０はその機能を実現する手段として、図３に示す住所情報とその位置情報との対応テーブル２０１を保持し、文字認識抽出手段２２その機能を実現する手段として、文字認識辞書２２１を保持している。
【００３８】
ここで、位置情報の測位に当たっては、先ず、画像入力手段１５から端末装置の使用者が入力した住居表示画像情報を全体制御部１０が受け取り、これを通信手段１４を経由して位置情報測位支援サーバ２の文字認識抽出手段２２に渡す。文字認識抽出手段２２は、受け取った住居表示画像情報から、文字認識辞書２２１を用いて文字列情報を抽出し、これを携帯電話端末装置１の全体制御部１０渡す。
【００３９】
次に、全体制御部１０は、これを住居表示文字列として通信手段１１を経由して位置情報測位支援サーバ２の住所情報／位置情報検索手段２０に渡す。住所情報／位置情報検索手段２０は、受け取った住居表示文字列をキーに、当該文字列を含む一つまたは複数の住所情報を対応テーブル２０１から検索し、携帯電話端末装置１の全体制御部１０に返す。全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の確定した住所とする。
【００４０】
その後、全体制御部１０は、通信手段１１を介して確定した住所情報を位置情報測位支援サーバ２の住所情報／位置情報検索手段２０に渡す。住所情報／位置情報検索手段２０は与えられた住所情報からその位置情報を対応テーブル２０１より検索し、それを携帯電話端末装置１の全体制御部１０に返し、全体制御部１０はその位置情報を当該端末装置の位置情報として、利用したり必要な所へ通知したりする。
【００４１】
以上が、本実施形態例の説明である。ここでは、文字認識抽出手段２２と住所情報／位置情報検索手段２０をネットワークを介した位置情報測位支援サーバの機能として説明したが、この機能は携帯電話端末装置または携帯情報端末装置の機能としてよい。また、全体制御部１０は端末装置側の機能として説明したが、これを位置情報測位支援サーバ側の機能としてもよい。
【００４２】
［実施形態例４］
次に、本発明の第４の実施形態例について説明する。図６は本実施形態例による装置構成ならびに方法での処理手順を説明する図であって、ここでは携帯電話端末装置を例として説明する。
【００４３】
図６の１は携帯電話端末装置、２は携帯電話端末装置１とネットワーク３で接続されて位置情報測位機能の実現を支援する位置情報測位支援サーバであり、ＣＰＵ、メモリなどから成る計算機（コンピュータ）等である。携帯電話端末装置１は画像入力手段１５、メニュー表示選択手段１２、全体制御部１０、通信手段１４からなり、図６の１５および１２は、実際の携帯電話端末装置にあっては図２に示す、カメラ１４、文字画像情報表示ディスプレイ１３とスクロール決定ボタン１２が相当する。また、図６の位置情報測位支援サーバ２は、住居表示画像パターン／住所情報検索手段２３、住所情報／位置情報検索手段２０からなり、住居表示画像パターン／住所情報検索手段２３および住所情報／位置情報検索手段２０は、それぞれの機能を実現する手段として、図７に示す住居表示画像パターンとその住所情報との対応テーブル２３１、および図３に示す住所情報とその位置情報との対応テーブル２０１を保持している。
【００４４】
ここで、位置情報の測位に当たっては、先ず、画像入力手段１５から端末装置の使用者が入力した住居表示画像を全体制御部１０が受け取り、これを通信手段１１を経由して位置情報測位支援サーバ２の住居表示画像パターン／住所情報検索手段２３に渡す。住居表示画像パターン／住所検索手段２３は、受け取った住居表示画像から、それに対応する一つまたは複数の住所情報を対応テーブル２３１より検索し、携帯電話端末装置１の全体制御部１０に返す。全体制御部１０は、検索された住所情報が一つの場合には、それを当該端末装置の所在地の確定した住所とし、また複数の住所情報が検索された場合には、その情報をメニュー表示選択部１２に渡し、その結果、当該端末装置の使用者が選択した一つの住所情報を当該端末装置の所在地の住所情報とする。
【００４５】
その後、全体制御部１０は、通信手段１１を介して確定した住所情報を位置情報測位支援サーバ２の住所情報／位置情報検索手段２０に渡す。住所情報／位置情報検索手段２０は、与えられた住所情報からその位置情報を対応テーブル２０１より検索し、それを携帯電話端末装置１の全体制御部１０に返し、全体制御部１０はその位置情報を当該端末装置の位置情報として、利用したり必要な所へ通知したりする。
【００４６】
以上が、本実施形態例の説明である。ここでは、住居表示画像パターン／住所情報検索手段２３と住所情報／位置情報検索手段２０を、ネットワークを介した位置情報測位支援サーバの機能として説明したが、これらの機能の全てもしくは一部を携帯電話端末装置または携帯情報端末装置の機能としても良い。また、全体制御部１０は端末装置側の機能として説明したが、これを位置情報測位支援サーバ側の機能としてもよい。
【００４７】
さらに、住居表示画像パターン／住所情報検索手段２３は、独立した一つの機能として説明したが、これは住居表示画像パターン／住居表示文字列情報検索手段を別途設け、住居表示画像パターンから検索される住居文字列情報をキーとして、住所情報／位置情報検索手段２０に対して、該当する文字列情報を含む住所情報を検索するようにしてもよい。
【００４８】
［実施形態例５］
次に、本発明の第５の実施形態例について説明する、本実施形態例は、実施形態例３，４において、住居表示画像を入力するに当たって、景観中の住居表示プレートの形状に合わせた枠等のプレートの輪郭を表すガイド線を住居表示画像に重ねて表示することで、端末装置の使用者に、住居表示画像情報を入力するよう促し、住居表示プレートの形状に合わせた住居表示画像を取得しやすくしたものである。図８に画像入力手段を備えた携帯電話端末装置において、住居表示画像と住居表示プレート形状を重ね合わせて表示させた例を示す。図８の１８が、住居表示画像を入力するときのガイド情報である住居表示プレートの形状情報である。
【００４９】
［実施形態例６］
本発明は、図１，４〜６で示した手段の一部もしくは全部の機能を、コンピュータ等の演算処理手段や制御手段を用いて実現できること、あるいは、これらの図を用いて説明した処理の手順をコンピュータ等に実行させることができることは言うまでもなく、コンピュータ等でその各手段の機能を実現するためのプログラム、あるいは、コンピュータ等にその処理の手順を実行させるためのプログラムを、そのコンピュータ等が読み取り可能な記録媒体、例えば、ＦＤ（フロッピーディスク：登録商標）や、ＭＯ，ＲＯＭ、メモリカード、ＣＤ，ＤＶＤ、リムーバルディスクなどに記録して、保存したり、提供したりすることが可能であり、また、インターネットのような通信ネットワークを通じて、該プログラムを提供したりすることも可能である。このようにして記録媒体や通信ネットワークにより提供されたプログラムを、コンピュータ等の演算処理手段や制御手段にインストールすることで、本発明が実施可能となる。
【００５０】
【発明の効果】
以上の説明の通り、本発明によれば、特別な位置情報測位手段をもたない携帯電話端末装置や携帯情報端末装置においても、使用者が端末装置周辺の景観中の住居表示情報を文字列として入力することで、当該端末装置の位置情報を測位することが可能となる。
【００５１】
また、本発明によれば、端末装置の音声入力手段から端末装置周辺の景観中の住居表示情報を音声で入力するという簡単な操作で、当該端末装置の位置情報を測位することが可能となる。
【００５２】
また、本発明によれば、端末装置の画像入力手段から端末装置周辺の景観中の住居表示画像情報を入力するという簡単な操作で、当該端末装置の位置情報を測位することが可能となる。
【００５３】
さらに、本発明によれば、住居表示画像情報からの住居文字列情報の認識抽出処理を精度良く短時間で行うのに適した住居表示画像情報を使用者に容易に入力させることが可能となる。
【００５４】
同様に、本発明によれば、住居表示画像パターンからの住所情報検索する手段において、住居表示画像パターンとの照合処理を精度良く短時間で行うのに適した住居表示画像情報を使用者に容易に入力させることが可能になる。
【図面の簡単な説明】
【図１】本発明の実施形態例１による装置構成ならびに方法での処理手順を説明するブ
ロック図。
【図２】携帯電話端末装置が備える機能の具体的手段を説明する図。
【図３】図１における住所情報／位置情報検索手段を構成するテーブルを説明する図。
【図４】本発明の実施形態例２による装置構成ならびに方法での処理手順を説明するブロック図。
【図５】本発明の実施形態例３による装置構成ならびに方法での処理手順を説明するブロック図。
【図６】本発明の実施形態例４による装置構成ならびに方法での処理手順を説明するブロック図。
【図７】図６における住居表示画像パターン／住所情報検索手段を構成するテーブルを説明する図。
【図８】本発明の実施形態例４において住居表示画像情報を、実際の住居表示プレートの形状に合わせて取得する方法を説明する図。
【符号の説明】
１…携帯電話端末装置
１０…全体制御部
１１…通信手段
１２…メニュー表示選択手段
１３…文字入力手段（図２では文字数値入力ボタン）
１４…音声入力手段（図２ではマイク）
１５…画像入力手段（図２ではカメラ）
１６…文字画像情報表示ディスプレイ
１７…スクロール決定ボタン
１８…住居表示のプレート形状
２…位置情報測位支援サーバ
２０…住所情報／位置情報検索手段
２１…音声認識抽出手段
２２…文字認識抽出手段
２３…住居表示画像パターン／住所情報検索手段
３…ネットワーク
【図１】
2004078450.tif 000003
【図２】
2004078450.tif 000004
【図３】
2004078450.tif 000005
【図４】
2004078450.tif 000006
【図５】
2004078450.tif 000007
【図６】
2004078450.tif 000008
【図７】
2004078450.tif 000009
【図８】
2004078450.tif 000010